(57)【特許請求の範囲】
【請求項１】
塵芥を圧縮して貯留する塵芥貯留装置であって、
前記塵芥が投入され、回転するドラムと、
前記ドラムの両端部のうちの一方の端部である第１端部に形成された開口の一部を塞ぐ閉塞部と、
前記ドラムの前記第１端部と前記閉塞部との間をシーリングするシール部と
を備え、
前記シール部は、
前記ドラムの前記第１端部の外周面に沿って配置される円環状のパッキンと、
前記ドラムの前記第１端部の前記外周面から、前記ドラムの径方向に突出する突出部と、
前記ドラムの前記径方向の外側に配置され、前記パッキンを介して前記突出部と対向する押圧部と
を含み、
前記押圧部は、前記突出部に向かって前記パッキンを押圧する、塵芥貯留装置。
【請求項２】
前記シール部は、
前記パッキンよりも、前記ドラムの前記径方向の外側に配置され、前記径方向への前記パッキンの移動を規制する規制部をさらに含み、
前記ドラムの前記第１端部の前記外周面は、前記規制部に向かって前記パッキンを押圧する、請求項１に記載の塵芥貯留装置。
【請求項３】
前記シール部は、
前記規制部に形成され、前記押圧部と対向するフランジ部をさらに含み、
前記押圧部と前記フランジ部とは連結される、請求項２に記載の塵芥貯留装置。
【請求項４】
前記押圧部は、
前記パッキンに向かって突出し、前記パッキンに沿って延びる凸部を含む、請求項１から請求項３のいずれか１項に記載の塵芥貯留装置。
【請求項５】
前記閉塞部に対向する壁部をさらに備え、
前記壁部には、前記ドラムの前記両端部のうちの他方の端部である第２端部が挿入される挿入口が形成され、
前記ドラムの前記第２端部に形成された開口から前記塵芥が排出され、
前記閉塞部には、前記塵芥を前記ドラムに投入するための投入口が形成される、請求項１から請求項４のいずれか１項に記載の塵芥貯留装置。
【請求項６】
前記シール部は、
前記押圧部をから突出し、前記パッキンに差し込まれる突起部をさらに含む、請求項１から請求項５のいずれか１項に記載の塵芥貯留装置。
【発明の詳細な説明】
【技術分野】
【０００１】
本発明は、塵芥を圧縮して貯留する塵芥貯留装置に関する。
【背景技術】
【０００２】
特許文献１に記載されたゴミ貯留機は、ゴミを貯留する回転筒（ドラム）と、前固定台と、後固定台とを備える。前固定台は回転筒の前部に接しており、後固定台は回転筒の後部に接している。回転筒と前固定台との間にシール材が設けられ、回転筒と後固定台との間にシール材が設けられる。シール材を設けることによって、回転筒から、汚水等の汚液が漏洩することを抑止する。
【先行技術文献】
【特許文献】
【０００３】
【特許文献１】特開２００５−２００２０９号公報
【発明の概要】
【発明が解決しようとする課題】
【０００４】
本発明の目的は、塵芥が貯留されるドラムから汚液が漏洩することを効果的に抑止できる塵芥貯留装置を提供することにある。
【課題を解決するための手段】
【０００５】
本発明の一局面によれば、塵芥貯留装置は、塵芥を圧縮して貯留する。塵芥貯留装置は、ドラムと、閉塞部と、シール部とを備える。ドラムには、前記塵芥が投入され、ドラムは、回転する。閉塞部は、前記ドラムの両端部のうちの一方の端部である第１端部に形成された開口の一部を塞ぐ。シール部は、前記ドラムの前記第１端部と前記閉塞部との間をシーリングする。シール部は、円環状のパッキンと、突出部と、押圧部とを備える。パッキンは、前記ドラムの前記第１端部の外周面に沿って配置される。突出部は、前記ドラムの前記第１端部の前記外周面から、前記ドラムの径方向に突出する。押圧部は、前記ドラムの前記径方向の外側に配置され、前記パッキンを介して前記突出部と対向する。前記押圧部は、前記突出部に向かって前記パッキンを押圧する。
【０００６】
本発明の塵芥貯留装置において、前記シール部は、規制部をさらに含むことが好ましい。規制部は、前記パッキンよりも、前記ドラムの前記径方向の外側に配置され、前記径方向への前記パッキンの移動を規制することが好ましい。前記ドラムの前記第１端部の前記外周面は、前記規制部に向かって前記パッキンを押圧することが好ましい。
【０００７】
本発明の塵芥貯留装置において、前記シール部は、フランジ部をさらに含むことが好ましい。フランジ部は、前記規制部に形成され、前記押圧部と対向することが好ましい。前記押圧部と前記フランジ部とは連結されることが好ましい。
【０００８】
本発明の塵芥貯留装置において、前記押圧部は、凸部を含むことが好ましい。凸部は、前記パッキンに向かって突出し、前記パッキンに沿って延びることが好ましい。
【０００９】
本発明の塵芥貯留装置は、前記閉塞部に対向する壁部をさらに備えることが好ましい。前記壁部には、前記ドラムの前記両端部のうちの他方の端部である第２端部が挿入される挿入口が形成されることが好ましい。前記ドラムの前記第２端部に形成された開口から前記塵芥が排出されることが好ましい。前記閉塞部には、前記塵芥を前記ドラムに投入するための投入口が形成されることが好ましい。
【００１０】
本発明の塵芥貯留装置において、前記シール部は、突起部をさらに含むことが好ましい。突起部は、前記押圧部をから突出し、前記パッキンに差し込まれることが好ましい。
【発明の効果】
【００１１】
本発明によれば、塵芥が貯留されるドラムから汚液が漏洩することを効果的に抑止できる。
【図面の簡単な説明】
【００１２】
【図１】本発明の実施形態１に係る塵芥貯留装置を示す斜視図である。
【図２】本発明の実施形態１に係る塵芥貯留装置を示す分解斜視図である。
【図３】本発明の実施形態１に係る塵芥貯留装置の閉塞部の裏側を示す斜視図である。
【図４】本発明の実施形態１に係る塵芥貯留装置のシール部を示す断面斜視図である。
【図５】本発明の実施形態１に係る塵芥貯留装置のシール部を示す断面図である。
【図６】一般的な塵芥貯留装置のシール部を示す断面斜視図である。
【図７】一般的な塵芥貯留装置のシール部を示す断面図である。
【図８】本発明の実施形態２に係る塵芥貯留装置のシール部の押圧部及び突起部を示す斜視図である。
【図９】本発明の実施形態２に係る塵芥貯留装置のシール部を示す断面斜視図である。
【図１０】本発明の実施形態２に係る塵芥貯留装置のシール部を示す断面図である。
【発明を実施するための形態】
【００１３】
以下、本発明の実施形態について、図面を参照しながら説明する。なお、図中、同一または相当部分については同一の参照符号を付して説明を繰り返さない。また、本発明の実施形態において、Ｘ軸とＹ軸とＺ軸とは互いに直交し、Ｘ軸及びＹ軸は水平面に略平行であり、Ｚ軸は鉛直線に略平行である。
【００１４】
図１は、本発明の実施形態１に係る塵芥貯留装置１を示す斜視図である。図１では、塵芥貯留装置１を塵芥の排出側から見たときの塵芥貯留装置１が示される。図２は、塵芥貯留装置１を示す分解斜視図である。図２では、塵芥貯留装置１のうち、ドラム２、シール部８、及び閉塞部６が示されている。
【００１５】
図１及び図２に示すように、塵芥貯留装置１は、塵芥を圧縮して貯留する。塵芥貯留装置１は、ドラム２と、チェーン４と、投入口６ａを有する閉塞部６と、投入側蓋部７と、シール部８と、挿入口１０ａを有する壁部１０と、排出側蓋部１１と、フレームＦとを備える。フレームＦは、ドラム２を囲むように形成される。
【００１６】
ドラム２は、フレームＦに回転可能に支持される。ドラム２は、回転軸線ＡＸの回りに、回転方向Ｒに回転する。実施形態１では、回転方向Ｒは、塵芥貯留装置１を塵芥の排出側から見たときに、反時計回りを示す。ドラム２の両端部のうちの一方の端部である投入側端部２０（第１端部）には、開口ＯＩが形成される。ドラム２には、投入口６ａを介して開口ＯＩから塵芥が投入される。ドラム２の両端部のうちの他方の端部である排出側端部２２（第２端部）には、開口ＯＥが形成される。開口ＯＥから塵芥が排出される。
【００１７】
ドラム２は、断面円形状であり、回転軸線ＡＸに沿った方向において、ドラム２の内径は異なっている。つまり、ドラム２は、胴部２ａと、円筒部２ｂと、テーパー部２ｃとを含む。胴部２ａは、略円筒状であり、回転軸線ＡＸに沿った方向において、胴部２ａの内径は略一定である。胴部２ａの両端部のうちの一方端部には、円筒部２ｂが接合される。円筒部２ｂは、略円筒状であり、回転軸線ＡＸに沿った方向において、円筒部２ｂの内径は略一定である。円筒部２ｂの内径は、胴部２ａの内径よりも小さい。胴部２ａの両端部のうちの他方端部には、テーパー部２ｃが接合される。テーパー部２ｃは、中空の略円錐台状であり、回転軸線ＡＸに沿った方向において、テーパー部２ｃの内径は異なっている。
【００１８】
チェーン４は、円筒部２ｂの外周面に形成された大径スプロケットとモーターの回転軸に連結された小径スプロケットとの間に架け渡される。そして、モーターを回転させることによって、小径スプロケット、チェーン４、及び大径スプロケットを介して、ドラム２が回転方向Ｒに回転する。ドラム２に投入された塵芥は、ドラム２が回転方向Ｒに回転すると、ドラム２の内部に形成された複数の羽根部材によって、閉塞部６から排出側蓋部１１に向けて移動され、排出側蓋部１１に押し付けられる。その結果、塵芥は、圧縮されて、ドラム２に貯留される。なお、大径スプロケット、モーター、小径スプロケット、及び複数の羽根部材については、図面の簡略化のため、図示を省略している。また、図面の簡略化のため、排出側蓋部１１を二点鎖線で示している。
【００１９】
閉塞部６は、フレームＦの両端部のうちの一方端部に取り付けられる。閉塞部６は、ドラム２の投入側端部２０に形成された開口ＯＩの一部を塞ぐ。閉塞部６には、塵芥をドラム２に投入するための投入口６ａが形成される。
【００２０】
投入側蓋部７は投入口６ａを塞ぐ。投入側蓋部７は、投入口６ａを塞ぐ閉位置と投入口６ａを露出させる開位置との間を移動する。
【００２１】
シール部８は、ドラム２の投入側端部２０と閉塞部６との間をシーリングする。
【００２２】
壁部１０は、フレームＦの両端部のうちの他方端部に取り付けられる。壁部１０は閉塞部６に対向する。壁部１０には略円形状の挿入口１０ａが形成される。挿入口１０ａにはドラム２の排出側端部２２が挿入される。従って、排出側端部２２が挿入口１０ａから突出する。
【００２３】
排出側蓋部１１は開口ＯＥを塞ぐ。排出側蓋部１１は、開口ＯＥを塞ぐ閉位置と開口ＯＥを露出させる開位置との間を移動する。ドラム２に貯留された塵芥を排出するときは、排出側蓋部１１が開位置に移動され、開口ＯＥが露出する。そして、ドラム２が回転方向Ｒに回転すると、塵芥は、ドラム２の内部に形成された複数の羽根部材によって、開口ＯＥからドラム２の外部へ排出される。
【００２４】
図２及び図３を参照して、シール部８の概略について説明する。図２に示すように、シール部８は、突出部１２と、押圧部１４と、パッキン１６と、位置決め部１８とを含む。突出部１２は、円環状であり、ドラム２の投入側端部２０に形成される板状の部材である。突出部１２はフランジを形成する。押圧部１４は、円環状であり、板状の部材である。パッキン１６は、円環状であり、断面略矩形状である。実施形態１では、パッキン１６は、グランドパッキン（例えば、編組パッキン）であり、潤滑剤を加えた繊維（糸）を編み組みして形成される。位置決め部１８は、円環状であり、閉塞部６の裏面６ｂに接合される。位置決め部１８は、パッキン１６がドラム２の投入側端部２０の外周面２１に沿って配置されるように、パッキン１６を位置決めする。
【００２５】
図３は、位置決め部１８を示す拡大斜視図である。図３に示すように、位置決め部１８は、規制部３０と、フランジ部３２とを含む。規制部３０は、円環状であり、閉塞部６の裏面６ｂから突出する板状の部材である。フランジ部３２は、円環状であり、規制部３０の先端部から、閉塞部６の裏面６ｂに沿って延びる板状の部材である。フランジ部３２と規制部３０とは略直角を形成する。
【００２６】
また、閉塞部６には、規制部３４と、規制部３６とが形成される。規制部３４は、閉塞部６の裏面６ｂから突出しており、円環状の板状の部材である。規制部３４の直径は、規制部３０の直径よりも小さい。規制部３６は、閉塞部６の裏面６ｂから突出しており、円環状の板状の部材である。規制部３６の直径は、規制部３４の直径よりも小さい。規制部３４及び規制部３６は、ドラム２の径方向への移動を規制する。
【００２７】
図４及び図５を参照して、シール部８の詳細について説明する。図４は、シール部８を示す断面斜視図である。図５は、シール部８を示す断面図である。図４及び図５では、円環状のシール部８の最下部近傍が示される。図４及び図５に示すように、パッキン１６は、ドラム２の投入側端部２０の外周面２１と規制部３０とに挟まれるとともに、押圧部１４とドラム２の突出部１２とに挟まれている。具体的には、次の通りである。
【００２８】
パッキン１６は、ドラム２の投入側端部２０の外周面２１に沿って配置される。規制部３０は、閉塞部６の裏面６ｂから、ドラム２の回転軸線ＡＸ（図２）に沿って突出している。規制部３０は、パッキン１６よりも、ドラム２の径方向Ａの外側に配置され、径方向Ａへのパッキン１６の移動を規制する。規制部３０は、パッキン１６を介してドラム２の投入側端部２０の外周面２１に対向している。ドラム２の投入側端部２０の外周面２１は、規制部３０に向かってパッキン１６を押圧する。
【００２９】
フランジ部３２は、規制部３０に形成され、押圧部１４と対向する。具体的には、フランジ部３２は、規制部３０の先端部からドラム２の径方向Ａに延びている。つまり、位置決め部１８は断面略Ｌ字状である。また、突出部１２は、ドラム２の投入側端部２０の外周面２１から、ドラム２の径方向Ａに突出する。
【００３０】
押圧部１４は、ドラム２の径方向Ａの外側に配置され、パッキン１６と対向する。押圧部１４は、パッキン１６を介して、突出部１２と対向する。押圧部１４とフランジ部３２とは連結される。具体的には、押圧部１４とフランジ部３２とにボルト２５を貫通させ、ナット２７をボルト２５に螺合することによって、押圧部１４を締め付ける。その結果、押圧部１４は、ドラム２の突出部１２に向かってパッキン１６を押圧する。具体的には、押圧部１４は、各々が断面略円形状の複数の凸部１４ａを含む。実施形態１では、２つの凸部１４ａが設けられる。凸部１４ａは、パッキン１６に向かって突出し、パッキン１６に沿って延びる円環状の部材である。凸部１４ａは、突出部１２に向かってパッキン１６を押圧する。
【００３１】
図４〜図７を参照して、シール部８と一般的なシール部１０２とを比較して説明する。図６は、一般的な塵芥貯留装置１００のシール部１０２を示す断面斜視図である。図７は、シール部１０２を示す断面図である。図６及び図７に示すように、一般的な塵芥貯留装置１００は、シール部１０２、ドラム１０４、及び投入側閉塞部１０６を備える。シール部１０２は、パッキン１０８、溝部１１０、及び押圧部１１２を含む。
【００３２】
パッキン１０８は円環状である。溝部１１０は、投入側閉塞部１０６の裏面１０６ａに円環状に形成される。溝部１１０には、パッキン１０８が嵌め込まれる。溝部１１０及びパッキン１０８は、ドラム１０４の投入側端部１１６の内周面１１６ａよりも、ドラム１０４の回転軸線に近い側に設けられる。
【００３３】
押圧部１１２は、断面略Ｌ字状の部材であり、円環状に形成される。押圧部１１２は、パッキン１０８と対向し、ドラム１０４の投入側端部１１６の内周面１１６ａよりも、ドラム１０４の回転軸線に近い側に設けられる。一方、ドラム１０４には、円環状の内壁部１０４ａが形成される。内壁部１０４ａは、ドラム１０４の内周面１１６ａから、溝部１１０向かって起立する板状の部材である。内壁部１０４ａと押圧部１１２とはボルト１１４によって連結され、押圧部１１２はボルト１１４に締め付けられる。その結果、押圧部１１２は、投入側閉塞部１０６に向かってパッキン１０８を押圧する。
【００３４】
押圧部１１２によってパッキン１０８を押圧することによって、ドラム１０４から汚水等の汚液が漏洩することを抑止する。しかしながら、塵芥を圧縮したり、塵芥を排出したりする場合、ドラム１０４が、投入側閉塞部１０６から排出側壁部に向かう方向Ｂに僅かに移動する場合がある。この場合、押圧部１１２はドラム１０４の内壁部１０４ａに連結されているため、押圧部１１２はドラム１０４とともに方向Ｂに僅かに移動する。その結果、押圧部１１２からパッキン１０８への押圧力が低下し、パッキン１０８が効果的に機能しない場合がある。
【００３５】
これに対して、実施形態１によれば、図４及び図５を参照して説明したように、ドラム２には突出部１２が形成されており、ドラム２が、閉塞部６から壁部１０に向かう方向Ｂに移動した場合、突出部１２も方向Ｂに移動する。従って、突出部１２は押圧部１４に向かってパッキン１６を押圧し、パッキン１６に加えられる押圧力が大きくなる。その結果、パッキン１６は、ドラム２が方向Ｂに移動していない場合よりも、突出部１２に密着する。つまり、パッキン１６がドラム２を効果的に密閉する。その結果、塵芥が貯留されるドラム２から、汚水等の汚液が漏洩することを効果的に抑止できる。
【００３６】
また、実施形態１によれば、パッキン１６は、ドラム２の外周面２１によって、規制部３０に向かって押圧されている。従って、ドラム２が方向Ｂに移動した場合であっても、ドラム２の外周面２１からパッキン１６への押圧力が低下することを抑制できる。その結果、パッキン１６がドラム２を更に効果的に密閉し、ドラム２から汚液が漏洩することを更に効果的に抑止できる。
【００３７】
さらに、実施形態１によれば、ドラム２の外周面２１が規制部３０に向かってパッキン１６を押圧していることに加えて、押圧部１４が突出部１２に向かってパッキン１６を押圧している。その結果、パッキン１６がドラム２を更に効果的に密閉し、ドラム２から汚液が漏洩することを更に効果的に抑止できる。
【００３８】
さらに、実施形態１によれば、押圧部１４は、フランジ部３２に連結されており、ドラム２に連結されていない。従って、ドラム２が方向Ｂに移動した場合であっても、押圧部１４からパッキン１６への押圧力が低下することを抑制できる。その結果、パッキン１６がドラム２を更に効果的に密閉し、ドラム２から汚液が漏洩することを更に効果的に抑止できる。
【００３９】
さらに、実施形態１によれば、押圧部１４は、凸部１４ａによってパッキン１６を押圧している。従って、パッキン１６への単位面積当たりの押圧力を大きくできる。その結果、パッキン１６がドラム２を更に効果的に密閉し、ドラム２から汚液が漏洩することを更に効果的に抑止できる。
【００４０】
さらに、実施形態１によれば、ドラム２には、円環状の内壁部２３が形成される。内壁部２３は、ドラム２の投入側端部２０の内周面２９から起立する板状の部材である。内壁部２３を形成することによって、ドラム２から塵芥が漏洩することを更に抑制できる。
【００４１】
さらに、実施形態１によれば、図１〜図３に示すように、塵芥貯留装置１は、シール部８の下方に、傾斜している樋４０をさらに備えている。従って、仮に、ドラム２の投入側端部２０から、汚液が漏洩したとしても、樋４０によって汚液を汚液溜めに案内できる。その結果、汚液によって、塵芥貯留装置１及びその周囲環境が汚染されることを抑制できる。
【００４２】
（実施形態２）
図８〜図１０を参照して、本発明の実施形態２に係る塵芥貯留装置１について説明する。実施形態２に係る塵芥貯留装置１の構成は、実施形態１に係る塵芥貯留装置１の構成と同様である。ただし、図８に示すように、実施形態２に係る塵芥貯留装置１は、実施形態１に係る塵芥貯留装置１の構成に加えて、突起部１５をさらに含む。以下、実施形態２が実施形態１と異なる点を主に説明する。
【００４３】
図８は、実施形態２に係る塵芥貯留装置１のシール部８の押圧部１４及び突起部１５を示す斜視図である。図８に示すように、シール部８は複数の突起部１５をさらに含む。実施形態２では、突起部１５は無頭釘である。例えば、突起部１５は押圧部１４に溶接される。複数の突起部１５は、押圧部１４の周方向に沿って等間隔で配置される。また、突起部１５は、押圧部１４の凸部１４ａの設けられる側から突出している。具体的には、突起部１５は、凸部１４ａと凸部１４ａとの間から突出している。従って、突起部１５の基端部分が２つの凸部１４ａに支えられ、突起部１５を補強できる。
【００４４】
図９は、シール部８を示す断面斜視図である。図１０は、シール部８を示す断面図である。図９及び図１０に示すように、突起部１５は、ボルト２５と略平行であり、ボルト２５よりもドラム２の近くに位置する。また、突起部１５は、凸部１４ａを介してボルト２５と対向している。
【００４５】
さらに、突起部１５は、押圧部１４からパッキン１６に向かって突出している。そして、突起部１５はパッキン１６に差し込まれる。例えば、突起部１５はパッキン１６に刺し込まれる。従って、実施形態２によれば、位置決め部１８におけるパッキン１６のずれ及び偏り、並びに位置決め部１８からのパッキン１６の脱落を抑制できる。その他、実施形態２では、実施形態１と同様の効果を有する。
【００４６】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００４７】
（１）ドラム２の形状は特に限定されない。例えば、ドラム２は、内径が一定の円筒体であってもよいし、内径が一定の円筒体の両端部に、円錐台状の中空の部材を結合することによって形成されてもよい。
【００４８】
（２）突出部１２、押圧部１４、規制部３０、及びフランジ部３２の各々は、１つの部材で円環状に形成されていてもよいし、複数の部材によって円環状に形成されていてもよい。
【００４９】
（３）凸部１４ａの数は、単数であってもよいし、３以上の複数であってもよい。凸部１４ａの形状は特に限定されない。また凸部１４ａは設けなくてもよい
【００５０】
（４）シール部８は、塵芥貯留装置１における塵芥の投入側に設けられたが、塵芥貯留装置１における塵芥の排出側に設けてもよいし、投入側と排出側との双方に設けてもよい。
【００５１】
（５）実施形態２において、複数の突起部１５は、等間隔で配置されたが、任意の間隔で配置されてもよい。また、突起部１５は、複数であったが、１つでもよい。さらに、突起部１５は、無頭釘であったが、無頭釘に限定されない。例えば、突起部１５は、有頭釘であってもよいし、ネジであってもよい。突起部１５がネジの場合は、突起部１５をパッキン１６に捻じ込むことにより、突起部１５をパッキン１６に差し込む。
【産業上の利用可能性】
【００５２】
本発明は、塵芥貯留装置に関するものであり、産業上の利用可能性を有する。
【符号の説明】
【００５３】
１    塵芥貯留装置
２    ドラム
６    閉塞部
６ａ    投入口
８    シール部
１０    壁部
１０ａ    挿入口
１２    突出部
１４    押圧部
１４ａ    凸部
１５    突起部
１６    パッキン
１８    位置決め部
３０    規制部
３２    フランジ部
【図１】
0006453181.tif 000002
【図２】
0006453181.tif 000003
【図３】
0006453181.tif 000004
【図４】
0006453181.tif 000005
【図５】
0006453181.tif 000006
【図６】
0006453181.tif 000007
【図７】
0006453181.tif 000008
【図８】
0006453181.tif 000009
【図９】
0006453181.tif 000010
【図１０】
0006453181.tif 000011